(57)【要約】【課題】  地震や津波などの災害時に緊急避難する場合、避難路が不明瞭のために適切な避難所に迅速に移動できない場合がある。土地勘のない者はもちろん、住み慣れた住民でも慌てると違った方向に行くこともあれば、夜の暗闇下では特に方向を見誤ることもあり、従来の矢印看板に変わり明確な表示を可能とする設備が急務であった。【解決手段】  ソーラー発電などで蓄えた電気エネルギーを用い、矢印等を発光体で点灯させることで、災害時の避難方向を示す表示装置を用いる。本装置は送受信機能を有し、装置間で通信することによって防災センター等から瞬時に作動させることも災害情報を流すことも可能で、さらに内蔵センサーにより地震等を自動検知して自動的に作動を行えるものである。【選択図】  図１
0003103015.tif 000002
【実用新案登録請求の範囲】
【請求項１】
地震、火山噴火、地割れ、台風、津波等の災害発生により緊急避難が必要となったとき、避難路上にあって昼夜を問わず自動的又は遠隔的に避難方向を明確に点灯表示する標識により、避難方向に誘導する装置。
【請求項２】
災害時に住民を避難所まで誘導する避難方向表示装置に、音声等の拡声機能を付加し、地震の現状等に応じて識別した地区別に対し、防災センター等から適切な情報の提供、及び避難所等からの連絡を可能とする装置。
【考案の詳細な説明】
【考案の詳細な説明】
【技術分野】
【０００１】  本考案は、近年特に、東海から西日本で懸念されている大地震発生時に、住民をいち早く、安全な場所（避難所）に正確に誘導し、災害から逃れられるようにする装置の考案に関する。
【背景技術】
【０００２】  従来、避難所までの経路には、各市町村レベルで防災対策の一環とし、路側の支柱又は擁壁等に矢印看板を設置しているが、夜の暗闇の下でこれらを確認することは極めて難しかった。【０００３】  反射板や蛍光塗料を矢印に使用することにより、夜間車輌等に対して有効に避難方向を示すことができる。しかし、山間部や海岸付近では車輌通行をはじめ、灯りがほとんど見当たらない地域や、災害によって道路が寸断され車輌走行が不可能となった場合などは、矢印確認が困難であった。【０００４】  防災センターからの情報は、避難所において受信した防災無線の内容を拡声するか、ラジオで受信する方法によって得ていた。この場合、ＡＣ電源の供給が寸断されると、無線設備の用途が限定され、被災地全域の情報を網羅的に流す無線情報の中から、注意深く自分のいる地域に関する情報を選択聴取する必要があった。
【考案が解決しようとする課題】
【０００５】  誘導灯を用いて避難方向を、十分な輝度で日没から夜明けまで点灯するためには、長時間持続放電可能な電池電源の確保が要求される。
【０００６】  また、同様にこのように長時間の点灯を行うためには、消費電力が小さく、発光部の寿命も長いことが要求される。
【０００７】  設置場所や要望によっては、昼も夜も日常的に点灯を要するところ、夜だけ毎日点灯を要するところ、地震を感知して自動的に点灯するところ、地震を感知しても明るさによって点灯制御を必要とするところ、防災センター等の指示によって点灯させる場合など、その用途はまちまちであり、これらに十分対応した装置でなければならない。
【０００８】  地震等の規模によって異なる、局所的な地域に対して、個別に防災センターから正確な情報提供するためには、個々の場所の地震規模を自動的に判断し、それに応じた識別信号を送受信することが要求される。
【０００９】  また、この誘導装置は避難の際に見やすく、また通常時は気にならず邪魔にならない場所で、かつ電源供給も容易な場所に設置する必要がある。
【課題を解決するための手段】
【００１０】  暗闇であっても、若年者から高齢者に至るまですべての人に避難方向を、わかりやすく正確に指示できる誘導装置として、発光体を矢印、文字、標識自体等に使用した災害時避難方向誘導装置を、避難所までの路側にしかるべき間隔で設置する。
【００１１】  災害時避難方向誘導装置はソーラー発電、風力発電、電磁誘導、電磁波受信電力等により、電気二重層を含む二次電池を充電し、外部からの電源供給がない場合の作動時に、十分絶え得るだけの容量の電気量を確保するものである。
【００１２】  災害時避難方向誘導装置の発光体には各色ＬＥＤ又はＥＬ板（Ｅｌｅｃｔｒｉｃ  Ｌｕｍｉｎｅｓｃｅｎｃｅ）を基本とするが、化学合成発光体や特殊光ファイバーなどを使用することも可能で、図形文字も表示可能なため避難路を明確に案内できる。
【００１３】  災害時避難方向誘導装置は地震計を内蔵し、そのセンサの制御（図１の２）によって点灯表示のしきい値を自由に設定可能とし、当該しきい値を超えると昼夜を問わず点灯作動することができる。
【００１４】  災害時避難方向誘導装置の点灯制御装置（図１の２）は、明るさによってスイッチをＯＮ、ＯＦＦするために、ソーラー電源回路で発生する電圧のしきい値をもとにして内蔵電池の充電か放電かを自動切り換えする。充電時は消灯、放電時は点灯という構造が平易に構成できる。
【００１５】  避難中の状況判断や、不測の事態の連絡等、避難路で情報を送受信できるメリットは大きい。
【００１６】  災害時避難方向誘導装置は光、低周波、高周波、電磁波の送受信設備を有し、アナログ、デジタルに関わらず、全ての符号に対する変調波を復調して識別信号を取り出すことを可能とする。
【００１７】  このことは、災害規模を察知した各地域防災センターから地域別に災害時避難方向誘導装置を作動させることができる。
【００１８】  これは当誘導装置とある間隔で隣接して設置した他の誘導装置との間での通信手段により、瞬時に起動のための信号を送ることによる。
【００１９】  災害時避難方向誘導装置が
【００１７】で作動の指示を受信した際、音声を受信してこれを拡声したり、又当誘導装置に内蔵の合成音声及び特定周波数音により発音する機能を有する。
【００２０】  当誘導装置の標識部は電柱等の他、壁面を利用して人の目の高さに設置が可能であり、給電装置と分離して設置でき、道路わきの隅、縁石等に装着して設置することも可能とする。
【００２１】  従って、災害時には見やすく、通常時には気にならず、邪魔にならない設置場所の確保は
【００２０】の構造とすることで解決できる。
【００２２】使用個所の例としては、路側の縁石の上（図３）に図２のような形状のものを固定する場合や、電柱に固定する場合（図４）、山間部などは道路脇の擁壁に設置する場合（図５）など、さまざまな場所が考えられる。
【考案の効果】
【００２３】  本考案は、地震や津波等の発生により、緊急に避難する必要に迫られたときその地域の事情が不理解な人でさえ、時間の中でいち早く避難場所へ正確に到達し、生命を守るために不可欠な避難誘導を提供する。
【００２４】  本考案では、電源のない場所で持続的に充電を行ない、夜間や災害発生時には、この充電された電気を用いて周囲が明るくなるまで作動し、誘導路を案内し続ける。
【００２５】  高輝度で長寿命であり、メンテナンスも容易である光源を用い、さらに通信手段や装置間で識別信号を送受信することによる、個別の起動制御と音声発信、また各種センサの組み込みによる点灯制御を可能とするなど、様々な場所や地域の特性に応じた設置が実現する。
【図面の簡単な説明】
【図１】  災害時避難方向誘導装置の基本構造
【符号説明】
１  表示矢印等点灯盤
２  点灯制御装置
３  電源装置
【図２】
路側の縁石上に設置するタイプの災害時避難方向誘導装置
【符号の説明】
４  ソーラーパネル
５  災害時避難方向誘導装置筐体
６  避難方向矢印部
【図３】
【符号の説明】
路側の縁石上に設置例
７  災害時避難方向誘導装置
８  縁石
９  歩道
１０  車道
【図４】
路側の電柱に設置するタイプの災害時避難方向誘導装置
【符号の説明】
１１  表示矢印等点灯盤
１２  避難方向矢印部
１３  ソーラーパネル
１４  電柱
【図５】
路側の擁壁に設置するタイプの災害時避難方向誘導装置
【符号の説明】
１５  表示矢印等点灯盤
１６  避難方向矢印部
１７  ソーラーパネル
１８  擁壁
１９  車道
【図６】
幹線道路及び自動車専用道路に取り付ける災害注意標識
【符号の説明】
２０  ソーラー
２１  風力発電装置
２２  震源地、震度等を表示する標識
２３  支柱
２４  ガードレール
２５  装置制御及び表示制御と電源自動切替機器
２６  幹線道路、自動車専用道路
２７  通信用アンテナ
【図１】
0003103015.tif 000003
【図２】
0003103015.tif 000004
【図３】
0003103015.tif 000005
【図４】
0003103015.tif 000006
【図５】
0003103015.tif 000007
【図６】
0003103015.tif 000008